(57)【要約】【課題】デジタルオーディオ放送信号に基づいた音声出力からアナログ放送信号に基づいた音声出力への切り替え時において利用者が持ち得る違和感を低減させることのできる「車載用ラジオ受信装置」を提供することである。【解決手段】第１ラジオ受信ユニットにて受信されるデジタルオーディオ放送信号に基づいた出力から第２ラジオ受信ユニットにて受信されるアナログオーディオ放送信号に基づいた出力に切り替わった際の音量調整操作に基づいた音量調整情報を取得し（Ｓ２１）、その音量調整情報を前記切り替え前のデジタルオーディオ放送信号のＳＩＤに対応づけて記憶部に記憶させ（Ｓ２２）、切り替えられたアナログオーディオ放送信号に基づいた出力の音量レベルを、前記切り替え前の前記デジタルオーディオ放送信号のＳＩＤに対応して前記記憶部に記憶されている音量調整情報に基づいて調整する（Ｓ２３）構成となる。【選択図】図２Ａ
2013198040.tif 000002
【特許請求の範囲】
【請求項１】
デジタルオーディオ放送信号を受信する第１ラジオ受信ユニットと、
アナログオーディオ放送信号を受信する第２ラジオ受信ユニットとを有し、
前記第１ラジオ受信ユニットにより受信される前記デジタルオーディオ放送信号に基づいた出力と、前記デジタルオーディオ放送信号の放送内容に対応する放送内容の前記第２ラジオ受信ユニットにて受信されるアナログオーディオ放送信号に基づいた出力との切り替えを行う車載用ラジオ受信装置であって、
前記第１ラジオ受信ユニットにて受信されるデジタルオーディオ放送信号に基づいた出力から前記第２ラジオ受信ユニットにて受信されるアナログオーディオ放送信号に基づいた出力に切り替わった際になされる音量調整操作に基づいた音量調整情報を取得する音量調整情報取得手段と、
該音量調整情報取得手段にて取得された前記音量調整情報を、前記切り替え前の前記デジタルオーディオ放送信号の放送サービス元を特定する放送サービス元特定情報に対応づけて記憶部に記憶させる音量調整情報記憶制御手段と、
前記第１ラジオ受信ユニットにて受信されるデジタルオーディオ放送信号に基づいた出力から切り替えられた前記第２ラジオ受信ユニットにて受信されるアナログオーディオ放送信号に基づいた出力の音量レベルを、前記切り替え前に前記第１ラジオ受信ユニットにて受信されていた前記デジタルオーディオ放送信号についての放送サービス元特定情報に対応して前記記憶部に記憶されている前記音量調整情報に基づいて調整する第１音量調整手段とを有する車載用ラジオ受信装置。
【請求項２】
前記音量調整情報取得手段は、前記音量調整操作前の音量レベルと前記音量調整操作後の音量レベルとの差分に基づいた音量調整情報を取得する請求項１記載の車載用ラジオ受信装置。
【請求項３】
前記音量調整後の音量レベルは、前記第１ラジオ受信ユニットにて受信されるデジタルオーディオ放送信号に基づいた出力から前記第２ラジオ受信ユニットにて受信されるアナログオーディオ放送信号に基づいた出力への切り替え時から所定時間後の音量レベルである請求項２記載の車載用ラジオ受信装置。
【請求項４】
前記第２ラジオ受信ユニットにて受信される前記アナログオーディオ放送信号に基づいた出力から前記第１ラジオ受信ユニットにて受信される前記デジタルオーディオ放送信号に基づいた出力への切り替えがなされる際に、前記記憶部に前記切り替え後の当該デジタルオーディオ放送信号についての放送サービス元特定情報に対応して記憶されている音量調整情報に基づいて音量レベルを調整する第２音量レベル調整手段とを有する請求項１乃至３のいずれかに記載の車載用ラジオ受信装置。
【発明の詳細な説明】
【技術分野】
【０００１】
本発明は、ＤＡＢ（Digital Audio Broadcasting）等によるデジタルオーディオ放送信号を受信する第１ラジオ受信ユニットと、ＦＭ放送信号等のアナログオーディオ放送信号を受信する第２ラジオ受信ユニットとを有し、前記第１ラジオ受信ユニットにより受信される前記デジタルオーディオ放送信号に基づいた出力と、前記第２ラジオ受信ユニットにて受信される対応する放送内容の前記アナログオーディオ放送信号に基づいた出力との切替えを行う車載用ラジオ受信装置に関する。
【背景技術】
【０００２】
従来、特許文献１に記載の放送信号受信装置（ラジオ受信装置）が知られている。この放送信号受信装置は、例えばＤＡＢ（Digital Audio Broadcasting）によるデジタル音声放送信号（デジタルオーディオ放送信号）を受信するデジタル音声放送信号受信部と、ＦＭ放送などによるアナログ音声放送信号（アナログオーディオ放送信号）を受信するアナログ音声放送信号受信部とを有している。そして、デジタル音声信号受信部でのデジタル音声信号の受信品質の低下等に起因して当該デジタル音声信号を適正に受信できない場合、デジタル音声信号に基づいた音声出力から、そのデジタル音声信号による放送内容（放送番組）と同一の放送内容のアナログ音声信号受信部にて受信されるアナログ音声信号に基づいた音声出力に切り替えている。また、例えば、デジタル音声信号の受信品質が回復する等して当該デジタル音声信号を適正に受信できる状態になると、前記アナログ音声放送信号に基づいた音声出力から、前記デジタル音声放送信号に基づいた音声出力に復帰させている。
【０００３】
ところで、デジタル音声信号に基づいた出力の音量レベルと、アナログ音声信号に基づいた出力の音量レベルとの間には、放送原理の違い等に起因して、本来的にレベル差が存在する。このため、デジタル音声放送信号に基づいた音声出力とアナログ音声放送信号に基づいた音声出力とを切り替える毎に、手動操作によって音量レベルを調整する必要がある。このような操作のわずらわしさを解消するために、前述した従来の放送信号受信装置では、前記切り替えの前後において、アナログ音声放送信号受信部からと、デジタル音声放送信号受信部からとから出力されるアナログ放送再生音声信号とデジタル放送再生音声信号とのレベル差に応じたレベル差出力信号が生成され、切り替え後のアナログ放送再生音声信号またはデジタル放送再生音声信号のレベルが前記レベル差出力信号に応じて調整されるようになっている。
【先行技術文献】
【特許文献】
【０００４】
【特許文献１】特開２０００−２８６７３２号公報
【発明の概要】
【発明が解決しようとする課題】
【０００５】
しかしながら、前述した従来の放送信号受信装置（ラジオ受信装置）では、デジタル音声放送信号に基づいた音声出力及びアナログ音声放送信号に基づいた音声出力を実際に聴く利用者の判断がデジタル音声放送信号に基づいた音声出力とアナログ音声放送信号に基づいた音声出力との切り替え時における音量調整に反映されない。アナログ音声放送信号に基づいた音声出力を得るための信号処理の手法と、デジタル音声放送信号に基づいた音声出力を得るための信号処理の手法とが異なることから、それら音声出力の音質が異なる。この音質の差によって、それぞれ同じ信号レベルであっても、実際に聴く者には、デジタル音声放送信号に基づいた音声出力とアナログ音声放送信号に基づいた音声出力とが異なって感じることがある。従って、実際に聴く利用者の判断がデジタル音声放送信号に基づいた音声出力とアナログ音声放送信号に基づいた音声出力との切り替え時における音量調整に反映されないと、デジタル音声放送信号に基づいた音声出力とアナログ音声放送信号に基づいた音声出力との切り替え時にそれらを聴く利用者が違和感を持つ場合がある。
【０００６】
本発明は、このような事情に鑑みてなされたもので、デジタルオーディオ放送信号に基づいた音声出力からアナログ放送信号に基づいた音声出力への切り替え時において利用者が持ち得る違和感を低減させることのできる車載用ラジオ受信装置を提供するものである。
【課題を解決するための手段】
【０００７】
本発明に係る車載用ラジオ受信装置は、デジタルオーディオ放送信号を受信する第１ラジオ受信ユニットと、アナログオーディオ放送信号を受信する第２ラジオ受信ユニットとを有し、前記第１ラジオ受信ユニットにより受信される前記デジタルオーディオ放送信号に基づいた出力と、前記デジタルオーディオ放送信号の放送内容に対応する放送内容の前記第２ラジオ受信ユニットにて受信されるアナログオーディオ放送信号に基づいた出力との切り替えを行う車載用ラジオ受信装置であって、前記第１ラジオ受信ユニットにて受信されるデジタルオーディオ放送信号に基づいた出力から前記第２ラジオ受信ユニットにて受信されるアナログオーディオ放送信号に基づいた出力に切り替わった際になされる音量調整操作に基づいた音量調整情報を取得する音量調整情報取得手段と、該音量レベル差取得手段にて取得された前記音量調整情報を、前記切り替え前の前記デジタルオーディオ放送信号の放送サービス元を特定する放送サービス元特定情報に対応づけて記憶部に記憶させる音量レベル差記憶制御手段と、前記第１ラジオ受信ユニットにて受信されるデジタルオーディオ放送信号に基づいた出力から切り替えられた前記第２ラジオ受信ユニットにて受信されるアナログオーディオ放送信号に基づいた出力の音量レベルを、前記切り替え前に前記第１ラジオ受信ユニットにて受信されていた前記デジタルオーディオ放送信号についての放送サービス元特定情報に対応して前記記憶部に記憶されている前記音量調整情報に基づいて調整する第１音量調整手段とを有する構成となる。
【０００８】
このような構成により、第１ラジオ受信ユニットにて受信されるある放送サービス元からのデジタルオーディオ放送信号に基づいた出力から第２ラジオ受信ユニットにて受信されるアナログオーディオ放送信号に基づいた出力に切り替えられた際になされる音量調整操作に基づいて得られた音量調整情報に基づいて、次回、同じ放送サービス元からのデジタルオーディオ放送信号の出力から切り替えられたアナログオーディオ放送信号に基づいた出力の音量レベルが調整されるので、第１ラジオ受信ユニットにて受信されるデジタルオーディオ放送信号に基づいた出力から第２ラジオ受信ユニットにて受信されるアナログオーディオ放送信号に基づいた出力への切り替え時における音量レベルの調整に、前記デジタルオーディオ放送信号に基づいた出力及び前記アナログオーディオ放送信号に基づいた出力を実際に聴いて音量調整操作を行った利用者の判断が反映され得るようになる。
【０００９】
本発明に係る車載用ラジオ受信装置において、前記音量調整情報取得手段は、前記音量調整操作前の音量レベルと前記音量調整操作後の音量レベルとの差分に基づいた音量調整情報を取得する構成とすることができる。
【００１０】
このような構成により、第１ラジオ受信ユニットにて受信されるある放送サービス元からのデジタルオーディオ放送信号に基づいた出力から第２ラジオ受信ユニットにて受信されるアナログオーディオ放送信号に基づいた出力に切り替えられた際になされる音量調整操作前の音量レベルと当該音量調整操作後の音量レベルとの差分に基づいた音量調整情報が、次回の同じ放送サービス元からのデジタルオーディオ放送信号に基づいた出力からアナログオーディオ放送信号に基づいた出力への切り替え時における音量レベルの調整に利用され得るように記憶部に記憶される。
【００１１】
また、本発明に係る車載用ラジオ受信装置において、前記音量調整後の音量レベルは、前記第１ラジオ受信ユニットにて受信されるデジタルオーディオ放送信号に基づいた出力から前記第２ラジオ受信ユニットにて受信されるアナログオーディオ放送信号に基づいた出力への切り替え時から所定時間後の音量レベルである構成とすることができる。
【００１２】
このような構成により、第１ラジオ受信ユニットにて受信されるデジタルオーディオ放送信号に基づいた出力から第２ラジオ受信ユニットにて受信されるアナログオーディオ放送信号に基づいた出力に切り替わった際になされる音量調整操作前の音量レベルと、その切り替え時から前記音量調整操作がなされ得る所定時間経過後の音量レベルとの差分に基づいた音量調整情報が得られる。
【００１３】
また、本発明に係る車載用ラジオ受信装置において、前記第２ラジオ受信ユニットにて受信される前記アナログオーディオ放送信号に基づいた出力から前記第１ラジオ受信ユニットにて受信される前記デジタルオーディオ放送信号に基づいた出力への切り替えがなされる際に、前記記憶部に前記切り替え後の当該デジタルオーディオ放送信号についての放送サービス元特定情報に対応して記憶されている音量調整情報に基づいて音量レベルを調整する第２音量レベル調整手段とを有する構成とすることができる。
【００１４】
このような構成により、第１ラジオ受信ユニットにて受信されるある放送サービス元からのデジタルオーディオ放送信号に基づいた出力から第２ラジオ受信ユニットにて受信されるアナログオーディオ放送信号に基づいた出力に切り替えられた際になされる音量調整操作に基づいて得られた音量調整情報に基づいて、逆に、前記アナログオーディオ放送信号に基づいた出力から前記デジタルオーディオ放送信号と同じ放送サービス元からのデジタルオーディオ放送信号に切り替えられた際に、当該デジタルオーディオ放送信号に基づいた出力の音量レベルの調整がなされる。
【発明の効果】
【００１５】
本発明に係る車載用ラジオ受信装置によれば、第１ラジオ受信ユニットにて受信されるデジタルオーディオ放送信号に基づいた出力から第２ラジオ受信ユニットにて受信されるアナログオーディオ放送信号に基づいた出力への切り替え時における音量レベルの調整に、前記デジタルオーディオ放送信号に基づいた出力及び前記アナログオーディオ放送信号に基づいた出力を実際に聴いて音量調整操作を行った利用者の判断が反映され得るようになるので、デジタルオーディオ放送信号に基づいた音声出力からアナログ放送信号に基づいた音声出力への切り替え時において利用者が持ち得る違和感を低減させることができる。
【図面の簡単な説明】
【００１６】
【図１】本発明の実施の一形態に係る車載用ラジオ受信装置の構成を示すブロック図である。
【図２Ａ】図１に示す車載用ラジオ受信装置の制御ユニットが実行するデジタルオーディオ放送信号に基づいた出力とアナログＦＭ放送信号（アナログオーディオ放送信号）に基づいた出力との切替えに係る処理手順を示すフローチャート（その１）である。
【図２Ｂ】図１に示す車載用ラジオ受信装置の制御ユニットが実行するデジタルオーディオ放送信号に基づいた出力とアナログＦＭ放送信号（アナログオーディオ放送信号）に基づいた出力との切替えに係る処理手順を示すフローチャート（その２）である。
【図３】デジタルオーディオ放送信号に基づいた出力とアナログＦＭ放送信号（アナログオーディオ放送信号）に基づいた出力との切替えに際してなされる音量レベルの調整例を示す特性図である。
【発明を実施するための形態】
【００１７】
以下、本発明の実施の形態について図面を用いて説明する。
【００１８】
本発明の実施の形態に係る車載用ラジオ受信装置は、図１に示すように構成される。
【００１９】
図１において、車両に搭載される車載用ラジオ受信装置は、ＤＡＢ（Digital Audio Broadcasting）によるデジタルオーディオ放送信号を受信するＤＡＢ受信ユニット１１（第１ラジオ受信ユニット）と、ＲＤＳ（Radio Data System）によるアナログＦＭ放送信号を受信するＦＭ受信ユニット１２（第２ラジオ受信ユニット）とを有している。この車載用ラジオ受信装置は、更に、切替器１３、出力回路１４、スピーカ１５、制御ユニット２０、操作ユニット２１及び記憶ユニット２２（記憶部：不揮発性メモリ）を有している。切替器１３は、制御ユニット２０の制御のもと、デジタルオーディオ放送信号を受信するＤＡＢ受信ユニット１１からの出力信号及びアナログＦＭ放送信号を受信するＦＭ受信ユニット１２からの出力信号のいずれかを出力回路１４に切り替え供給する。出力回路１４は、ＤＡＢ受信ユニット１１及びＦＭ受信ユニット１２のいずれかからの出力信号に基づいてオーディオ出力信号を生成し、該オーディオ出力信号を車室内に設けられたスピーカ１５に供給する。スピーカ１５は、出力回路１４から供給されるオーディオ出力信号に対応する音声を発する（音声出力）。
【００２０】
制御ユニット２０は、ＤＡＢ受信ユニット１１及びＦＭ受信ユニット１２それぞれからの出力信号を入力し、該出力信号に基づいてＤＡＢ受信ユニット１１にて受信されるデジタルオーディオ放送信号の受信品質（例えば、Ｃ／Ｎ値）、及びＦＭ受信ユニット１２にて受信されるアナログＦＭ放送信号の受信品質（例えば、Ｓ／Ｎ値）を監視する。制御ユニット２０は、ＤＡＢ受信ユニット１１にて受信されるデジタルオーディオ放送信号の受信品質に基づいて切替器１３の切り替え動作を制御する（詳細は後述する）。また、制御ユニット２０は、ＤＡＢ受信ユニット１１及びＦＭ受信ユニット１２それぞれの選局制御、及び操作ユニット２１での音量操作に基づいた出力回路１４の制御等、各種制御を行う。更に、制御ユニット２０は、後述するような音量調整情報等の必要な情報を記憶ユニット２２に記憶させ、記憶ユニット２２に記憶された情報を処理に利用する。
【００２１】
制御ユニット２０による切替器１３の切り替え動作の制御及び音量レベルの制御は、図２Ａ及び図２Ｂに示す手順に従ってなされる。
【００２２】
図２Ａにおいて、制御ユニット２０は、ＤＡＢ受信ユニット１１にて受信されるＤＡＢによるデジタルオーディオ放送信号に基づいた音声出力がなされていることを確認すると（Ｓ１１）、そのデジタルオーディオ放送信号の所定受信品質を維持した状態での受信を確認しつつ（Ｓ１２）、そのデジタルオーディオ放送信号に基づいた出力が維持されるように切替器１３を制御する（Ｓ１３）。この処理の過程で、ＤＡＢ受信ユニット１１でのデジタルオーディオ放送信号の受信品質が低下して、所定受信品質が維持できない状況になると（Ｓ１２でＮＯ）、制御ユニット２０は、前記デジタルオーディオ放送信号による放送内容に対応する（同一の）放送内容のアナログＦＭ放送信号を受信するようにＦＭ受信ユニット１２の選局制御を行うとともに、ＤＡＢ受信ユニット１１からの出力信号に代えてＦＭ受信ユニット１２からの出力信号が出力回路１４に供給されるように切替器１３を制御する（Ｓ１４）。これにより、ＤＡＢ受信ユニット１１にて受信されるデジタルオーディオ放送信号に基づいた音声出力から、前記デジタルオーディオ放送信号による放送内容に対応する放送内容のＦＭ受信ユニット１２にて受信されるアナログＦＭ放送信号に基づいた音声出力に切り替えられる。なお、当該切り替え時において、デジタルオーディオ放送信号に基づいた音声出力と、アナログＦＭ放送信号に基づいた音声出力との間に、所定の無音期間（ミュート）が挿入される。
【００２３】
例えば、図３に示す時刻ｔ１〜ｔ２の無音期間（ＭＵＴＥ）を経て、このデジタルオーディオ放送信号に基づいた音声出力（ＤＡＢ）からアナログＦＭ放送信号に基づいた音声出力（ＦＭ）に切り替えられると、通常、ＦＭ受信ユニット１２からの出力信号レベルがＤＡＢ受信ユニット１１からの出力信号レベルに比べて、８ｄＢほど上昇することから、その音声出力の音量レベルが上昇する（ΔＳ：ＳＭ→ＳＨ）。このような状況において、制御ユニット２０は、後述する音量調整情報ΔＳ（ＳＩＤ）が登録されていないことを確認した（Ｓ１５でＮＯ）後、操作ユニット２１による音量調整操作がなされる前における音量レベルＳst（例えば、出力回路１４から出力されるオーディオ信号レベル：図３に示すＳＨに対応）をサンプリングする（Ｓ１６）。
【００２４】
そして、制御ユニット２０は、タイマＴをスタートさせた（Ｓ１７）後、そのタイマＴが所定時間Ｔｏ（例えば、１５秒）に達したか否かを判定する（Ｓ１８）。このタイマＴが動作している間、前記アナログオーディオ放送信号に基づいた音声出力の音量レベルの上昇によって不快に感ずる利用者（車両の乗員）は、操作ユニット２１を用いて音量レベルを下げるように音量調整操作を行う。そして、前記タイマＴが所定時間Ｔｏに達すると（Ｓ１８でＹＥＳ）、即ち、前記デジタルオーディオ放送信号に基づいた音声出力から前記アナログＦＭ放送信号への切り替え時から前記所定時間Ｔｏが経過すると、制御ユニット２０は、前記音量調整操作後の音量レベルＳed（図３に示すＳＭに対応）をサンプリングする（Ｓ１９）。
【００２５】
制御ユニット２０は、タイマＴをリセット（Ｔ＝０：Ｓ２０）した後、前記音量調整操作前の音量レベルＳst（図３に示すＳＨに対応）と前記切り替え時から所定時間Ｔｏ（例えば、１５秒）の経過時における前記音量調整操作後の音量レベルＳed（図３に示すＳＭに対応）との差分ΔＳを演算する（Ｓ２１：音量調整情報取得手段）。そして、制御ユニット２０は、前記差分ΔＳを、音量調整情報として、前記切り替え前のデジタルオーディオ放送信号に含まれ、当該デジタルオーディオ放送信号の放送サービス元（例えば、放送局）を特定するＳＩＤ（サービスＩＤ）に対応づけて、記憶ユニット２２に記憶させる（Ｓ２２：音量調整情報記憶制御手段）。
【００２６】
その後、制御ユニット２０は、図２Ｂに示すように、ＤＡＢ受信ユニット１１でのデジタルオーディオ放送信号の所定受信品質を維持した状態での受信が可能でないことを確認しつつ（Ｓ２４でＮＯ）、ＦＭ受信ユニット１２にて受信されたアナログＦＭ放送信号に基づいた音声出力が維持されるように切替器１３を制御する（Ｓ２５）。このアナログＦＭ放送信号に基づいた音声出力は、前述した利用者による音量調整操作によって調整された音量レベル（図３に示すＳＭ参照）にてなされる。
【００２７】
ＤＡＢ受信ユニット１１のデジタルオーディオ放送信号の受信品質が回復して、所定受信品質での受信が維持できる状況になると（Ｓ２４でＹＥＳ）、制御ユニット２４は、タイマＴをスタートさせる（Ｓ２６）。そして、制御ユニット２０は、ＤＡＢ受信ユニット１１のデジタルオーディオ放送信号の所定受信品質を維持した状態での受信が可能であることを確認しつつ（Ｓ２８でＹＥＳ）、前記タイマＴが所定時間Ｔｓ（例えば、１０秒）に達したか否かを判定する。ここで、ＤＡＢ受信ユニット１１のデジタルオーディオ放送信号の所定受信品質を維持した状態の前記タイマＴが所定時間Ｔｓに達すると（Ｓ２７でＹＥＳ）、制御ユニット２０は、タイマＴをリセットし（Ｓ３０）、例えば、図３に示す時刻ｔ３〜ｔ４の無音期間（ＭＵＴＥ）を経て、ＦＭ受信ユニット１２にて受信されるアナログＦＭ放送信号に基づいた音声出力（ＦＭ）からＤＡＢ受信ユニット１１にて受信されるデジタルオーディオ放送信号に基づいた音声出力（ＤＡＢ）に復帰するように切替器１３を制御する（Ｓ３１）。
【００２８】
このアナログＦＭ放送信号に基づいた音声出力（ＦＭ）からデジタルオーディオ放送信号に基づいた音声出力（ＤＡＢ）への切り替え時においては、前述したデジタルオーディオ放送信号に基づいた音声出力（ＤＡＢ）からアナログＦＭ放送信号に基づいた音声信号（ＦＭ）への切り替え時とは逆に、切り替え後のデジタルオーディオ放送信号に基づいた音声出力（ＤＡＢ）の音量レベルが、切り替え前のアナログＦＭ放送信号に基づいた音声出力の音量レベル（図３に示すＳＭに対応）よりも低下する（ＳＭ→ＳＬ）。このような状況において、制御ユニット２０は、切り替え後のデジタルオーディオ放送信号に含まれているＳＩＤと同じＳＩＤに対応づけて記憶ユニット２２に記憶された音量調整情報（ΔＳ）を用いて、前述した音量レベルの差分ΔＳだけ、当該デジタルオーディオ放送信号に基づいた音声出力の音量レベルが上昇するように出力回路１４を制御する（Ｓ３２：第２音量レベル調整手段）。
【００２９】
前記アナログＦＭ放送信号に基づいた音声出力（ＦＭ）から前記デジタルオーディオ放送信号に基づいた音声出力（ＤＡＢ）に切り替えられた際における音量レベルの低下分（ＳＭ→ＳＬ）は、デジタルオーディオ放送信号に基づいた音声出力から切り替わったアナログＦＭ放送信号に基づいた音声出力の音声レベルの上昇分（ΔＳ：ＳＭ→ＳＨ、例えば、８ｄＢ）に対応すると見込まれる。このため、アナログＦＭ放送信号に基づいた音声出力（ＦＭ）から切り替え後のデジタルオーディオ放送信号に基づいた音声出力（ＤＡＢ）の音量レベルを、前述したデジタルオーディオ放送信号に基づいた音声出力からアナログＦＭ放送信号に基づいた音声出力への切り替え時における音量調整操作により調整（低下）された音量レベルの前記差分Δ（ＳＨ→ＳＭ：音量調整情報）だけ、元に戻す（上昇させる：ＳＬ→ＳＭ）ことで、切り替え後のデジタルオーディオ放送信号に基づいた音声出力（ＤＡＢ）の音声レベルを、前記アナログＦＭ放送信号に基づいた音声出力（ＦＭ）に切り替わる前のデジタルオーディオ放送信号に基づいた音声信号の音声レベル（図３に示すＳＭに対応）と略同じにすることができる。
【００３０】
このようにしてＤＡＢ受信ユニット１１にて受信されるデジタルオーディオ放送信号に基づいた音声出力に復帰すると、制御ユニット２０は、図２Ａに示すように、ＤＡＢ受信ユニット１１でのデジタルオーディオ放送信号の所定受信品質での受信が可能であることを確信しつつ（Ｓ１２）、このデジタルオーディオ放送信号に基づいた音声出力が維持されるように切替器１３を制御する（Ｓ１３）。このとき、このデジタルオーディオ放送信号に基づいた音声出力（ＤＡＢ）は、制御ユニット２０の制御のもとに調整された音量レベル（図３に示すＳＭ参照）にてなされる。
【００３１】
ここで、再び、ＤＡＢ受信ユニット１１でのデジタルオーディオ放送信号の受信品質が低下して、所定受信品質が維持できない状況になると（Ｓ１２でＮＯ）、制御ユニット２０は、前記デジタルオーディオ放送信号による放送内容に対応する（同一の）放送内容のアナログＦＭ放送信号を受信するようにＦＭ受信ユニット１２の選局制御を行うとともに、ＤＡＢ受信ユニット１１にて受信されるデジタルオーディオ放送信号に基づいた音声出力から、前記デジタルオーディオ放送信号による放送内容に対応する放送内容のＦＭ受信ユニット１２にて受信されるアナログＦＭ放送信号に基づいた音声出力に切り替えられるように切替器１３を制御する（Ｓ１４）。
【００３２】
例えば、図３に示す時刻ｔ５〜ｔ６の無音期間（ＭＵＴＥ）を経て、このデジタルオーディオ放送信号に基づいた音声出力（ＤＡＢ）からアナログＦＭ放送信号に基づいた音声出力（ＦＭ）に切り替えられると、前述した場合（図３に示す時刻ｔ１〜ｔ２を経た切り替えの場合）と同様に、ＦＭ受信ユニット１２にて受信されるアナログＦＭ放送信号に基づいた音声出力の信号レベルがＤＡＢ受信ユニット１１にて受信されるデジタルオーディオ放送信号に基づいた音声出力の音量レベルに比べて上昇しようとする（ΔＳ：ＳＭ→ＳＨ）。このような状況において、制御ユニット２０は、この切り替え前のデジタルオーディオ放送信号の放送サービス元を特定するＳＩＤに対応して音量調整情報ΔＳが記憶ユニット２２に記憶されていることを確認すると（Ｓ１５でＹＥＳ）、その記憶ユニット２２に記憶されている音量調整情報ΔＳを用いて、前述した音量レベルの差分ΔＳ（図２ＡにおけるＳ２１参照）だけ、当該アナログＦＭ放送信号に基づいた音声出力の音量レベルが低下するように出力回路１４を制御する（Ｓ２３：第１音量レベル調整手段）。
【００３３】
このようにして、デジタルオーディオ放送信号に基づいた音声出力（ＤＡＢ）から切り替えられたアナログＦＭ放送信号に基づいた音声出力（ＦＭ）の音量レベルが、記憶ユニット２２に、当該切り替え前のデジタルオーディオ放送信号に含まれるＳＩＤと同じＳＩＤに対応して記憶された音量調整情報ΔＳを用いて調整（低下）されるので、その切り替え後のアナログＦＭ放送信号に基づいた音声出力（ＦＭ）の音量レベルが、以前、同じＳＩＤを含むデジタルオーディオ放送信号に基づいた音声出力からアナログＦＭ放送信号に基づいた音声出力に切り替わった際に利用者の音量調整操作によって調整（低下）されたのと同様に調整（低下）される（図３におけるＳＨ→ＳＭ参照）。それにより、切り替え後のアナログＦＭ放送信号に基づいた音声出力（ＦＭ）の音声レベル（図３に示す時刻ｔ６以降の音声レベル参照）を、当該アナログＦＭ放送信号に基づいた音声出力（ＦＭ）に切り替わる前のデジタルオーディオ放送信号に基づいた音声信号の音声レベル（図３に示す時ｔ４〜ｔ５における音声レベル参照）と略同じ、更には、以前に、デジタルオーディオ放送信号に基づいた音声出力からアナログＦＭ放送信号に基づいた音声出力に切り替わった際に、利用者の音量調整操作によって調整された当該アナログＦＭ放送信号に基づいた音声出力の音声レベル（図３に示す時刻ｔ２〜ｔ３における音声レベル参照）と略同じにすることができる。
【００３４】
上述したように、デジタルオーディオ放送信号に基づいた音声出力（ＤＡＢ）から切り替えられたアナログＦＭ放送信号に基づいた音声出力（ＦＭ）に切り替えられ、そのアナログＦＭ放送信号に基づいた音声出力の音量レベルが調整された（Ｓ２３）後、制御ユニット２０は、前述したのと同様の手順（図２Ａ及び図２Ｂ）に従って、デジタルオーディオ放送信号に基づいた音声出力とアナログＦＭ放送信号に基づいた音声信号との切り替えに係る処理及びその切り替え時における音量レベルの調整に係る処理を行う。なお、その過程において、ＤＡＢ受信ユニット１１でのデジタルオーディオ放送信号の所定受信品質を維持した状態での受信が可能になった（Ｓ２４でＹＥＳ）後、所定時間Ｔｓが経過する前に、再び、前記デジタルオーディオ放送信号の受信品質が低下して、所定受信品質を維持できない状況になった場合（Ｓ２８でＮＯ）、制御ユニット２０は、タイマＴをリセット（Ｓ２９）した後、デジタルオーディオ放送信号の受信品質が回復していないことを確認しつつ（Ｓ２４でＮＯ）、ＦＭ受信ユニット１２にて受信されるアナログＦＭ放送信号に基づいた音声出力が維持されるように切替器１３を制御する（Ｓ２５）。このように、デジタルオーディオ放送の受信品質が回復しても、所定受信品質が所定時間Ｔｓ維持されない場合には、デジタルオーディオ放送信号に基づいた音声出力に復帰することなく、アナログＦＭ放送信号に基づいた音声出力が維持されるので、デジタルオーディオ放送信号に基づいた音声出力と、アナログＦＭ放送信号に基づいた音声出力とが頻繁に切り替わることを防止することができる。
【００３５】
上述したような車載用ラジオ受信装置では、ＤＡＢ受信ユニット１１にて受信されるあるＳＩＤを含むデジタルオーディオ放送信号に基づいた音声出力からＦＭ受信ユニット１２にて受信されるアナログＦＭ放送信号に基づいた音声出力に切り替えられた際に利用者によってなされる音量調整操作に基づいて得られた音量調整情報（音量調整操作前の音量レベルＳstと音量調整操作後の音量レベルＳedとの差分Δ）に基づいて、次回、同じＳＩＤを含むデジタルオーディオ放送信号の音声出力から切り替えられたアナログＦＭ放送信号に基づいた出力の音量レベルが調整される（図２ＡにおけるＳ２３参照）ので、ＤＡＢ受信ユニット１１にて受信されるデジタルオーディオ放送信号に基づいた音声出力からＦＭ受信ユニット１２にて受信されるアナログＦＭ放送信号に基づいた音声出力への切り替え時における音量レベルの調整に、前記デジタルオーディオ放送信号に基づいた音声出力及び前記アナログオーディオ放送信号に基づいた音声出力を実際に聴いて音量調整操作を行った利用者の判断が反映され得るようになる。従って、デジタルオーディ放送信号に基づいた音声出力からアナログ放送信号に基づいた音声出力への切り替え時において利用者が持ち得る違和感を有効に低減させることができる。
【００３６】
また、ＤＡＢ受信ユニット１１にて受信されるあるＳＩＤを含むデジタルオーディオ放送信号に基づいた音声出力からＦＭ受信ユニット１２にて受信されるアナログＦＭ放送信号に基づいた音声出力に切り替えられた際になされる音量調整操作に基づいて得られた音量調整情報（音量調整操作前の音量レベルＳstと音量調整操作後の音量レベルＳedとの差分Δ）に基づいて、逆に、前記アナログＦＭ放送信号に基づいた音声出力から前記デジタルオーディ放送信号と同じＳＩＤを含むデジタルオーディオ放送信号に切り替えられた際に、当該デジタルオーディオ放送信号に基づいた出力の音量レベルの調整がなされる。従って、デジタルオーディオ放送信号に基づいた音声出力からアナログ放送信号に基づいた音声出力への切り替え時においても、利用者が持ち得る違和感を有効に低減させることができる。
【００３７】
なお、前述した車載用ラジオ装置では、音量調整操作前の音量レベルＳstと音量調整操作後（例えば、１５秒後）の音量レベルＳedとの差分ΔＳを音量調整情報としたが、この音量調整情報は、これに限られず、操作ユニットを用いた音量調整操作による音量レベルの調整量に対応し得るものであればよい。
【００３８】
また、デジタルオーディオ放送信号の放送サービス元を特定する放送サービス元特定情報は、ＳＩＤ（サービスＩＤ）に限られず、同種のシステムによってデジタルオーディオ放送信号を生成及び放送（送信）する主体（放送サービス元）を特定できる情報であればよい。
【産業上の利用可能性】
【００３９】
以上、説明したように、本発明に係る車載用ラジオ装置は、デジタルオーディオ放送信号に基づいた音声出力からアナログ放送信号に基づいた音声出力への切り替え時において利用者が持ち得る違和感を低減させることができるという効果を有し、第１ラジオ受信ユニットにより受信されるデジタルオーディオ放送信号に基づいた出力と、第２ラジオ受信ユニットにて受信される対応する放送内容のアナログオーディオ放送信号に基づいた出力との切替えを行う車載用ラジオ受信装置として有用である。
【符号の説明】
【００４０】
１１  ＤＡＢ受信ユニット（第１ラジオ受信ユニット）
１２  ＦＭ受信ユニット（第２ラジオ受信ユニット）
１３  切替器
１４  出力回路
２０  制御ユニット
２１  操作ユニット
２２  記憶ユニット（不揮発性メモリ：記憶部）
【図１】
2013198040.tif 000003
【図２Ａ】
2013198040.tif 000004
【図２Ｂ】
2013198040.tif 000005
【図３】
2013198040.tif 000006